(57)【要約】      （修正有）【課題】消費電力を低減し、画質のクオリティを高めることができる発光表示装置及びその駆動方法を提供する。【解決手段】映像を表現する複数の画素を含む画素部と、ｎ番目のフレームに入力される映像信号が、ｎ−１番目のフレームと同じ映像信号及びｎ−１番目のフレームと異なる映像信号を含み、ｎ−１番目のフレームと異なる映像信号が書き込まれるフレームメモリと、ｎ−１番目のフレームと同じ映像信号を格納する格納ブロックと、ｎ−１番目のフレームと異なる映像信号を合算し、格納ブロックに格納されている映像信号を合算してフレームデータを生成する輝度制御部と、画素部に走査信号及びフレームデータの大きさに応じてパルス幅が調整される発光制御信号を伝達する走査駆動部と、フレームメモリに格納された映像信号を用いて複数のデータ信号を生成した後、画素部に伝達するデータ駆動部と、を備える有機電界発光表示装置及びその駆動方法を提供する。【選択図】図２
2009271493.tif 000002
【特許請求の範囲】
【請求項１】
複数の走査信号、複数の発光制御信号、及び複数のデータ信号を受信して映像を表現する複数の画素を含む画素部と、
ｎ番目のフレームに入力される映像信号が、ｎ−１番目のフレームと同じ映像信号及びｎ−１番目のフレームと異なる映像信号を含み、前記ｎ−１番目のフレームと異なる映像信号が書き込まれるフレームメモリと、
前記ｎ−１番目のフレームと同じ映像信号を格納する格納ブロックと、
前記ｎ−１番目のフレームと異なる映像信号を合算し、前記格納ブロックに格納されている映像信号を合算してフレームデータを生成する輝度制御部と、
前記画素部に前記走査信号及びフレームデータの大きさに応じてパルス幅が調整される前記発光制御信号を伝達する走査駆動部と、
前記フレームメモリに格納された映像信号を用いて前記複数のデータ信号を生成した後、前記画素部に伝達するデータ駆動部と、
を備えることを特徴とする有機電界発光表示装置。
【請求項２】
前記輝度制御部は、
映像信号を合算するものの、前記格納ブロックに格納されている映像信号を合算して格納する第１格納部、前記格納ブロックに格納されていない領域に入力される映像信号を合算して格納する第２格納部、及び前記第１格納部及び前記第２格納部に格納された値を合算して格納する第３格納部を備えるデータ合算部と、
前記第３格納部に格納されているデータに対応して前記発光制御信号のパルス幅を格納するルックアップテーブルと、
該ルックアップテーブルに格納されている前記発光制御信号のパルス幅に対応して前記発光制御信号を制御する制御信号を生成する輝度制御駆動部と、
を備えることを特徴とする請求項１に記載の有機電界発光表示装置。
【請求項３】
前記発光制御信号のパルス幅により、前記画素部は、発光する時間が調整されることを特徴とする請求項１に記載の有機電界発光表示装置。
【請求項４】
前記格納ブロックは、チェックサムブロックであることを特徴とする請求項１に記載の有機電界発光表示装置。
【請求項５】
前記画素部は、一部の領域にのみ映像を表現することを特徴とする請求項１に記載の有機電界発光表示装置。
【請求項６】
データ信号、走査信号、及び発光制御信号に対応して画像を表現する画素部を備える有機電界発光表示装置の駆動方法において、
ｎ番目のフレームにおいて表現される映像信号のうち、ｎ−１番目のフレームと同じ映像信号を格納するステップと、
前記ｎ番目のフレームにおいて表現される映像信号のうち、ｎ−１番目のフレームと同じ映像信号を合算して第１フレームデータを生成するステップと、
前記ｎ番目のフレームのうち、前記ｎ−１番目のフレームと異なる映像信号を合算して第２フレームデータを生成するステップと、
前記第１フレームデータと前記第２フレームデータとを合算した後、合算した結果に対応して前記発光制御信号のパルス幅を調整するステップと、
を含むことを特徴とする有機電界発光表示装置の駆動方法。
【請求項７】
前記画素部は、一部の領域にのみ映像を表現することを特徴とする請求項６に記載の有機電界発光表示装置の駆動方法。
【請求項８】
ｎ番目のフレームにおいて表現される映像信号のうち、ｎ−１番目のフレームと同じ映像信号は、チェックサムブロックに格納されることを特徴とする請求項６に記載の有機電界発光表示装置の駆動方法。
【発明の詳細な説明】
【技術分野】
【０００１】
本発明は、有機電界発光表示装置及びその駆動方法に関し、より詳細には、発光面積に応じて輝度を制限し、輝度の変化量を発光面積に応じて異ならせる有機電界発光表示装置及びその駆動方法を提供するものである。
【背景技術】
【０００２】
近年、陰極線管の短所である重量及び体積を減少させることのできる各種平板表示装置が開発されている。平板表示装置には、液晶表示装置、電界放出表示装置、プラズマ表示パネル、有機電界発光表示装置などがある。
【０００３】
平板表示装置のうち、有機電界発光表示装置は、電子と正孔との再結合により光を発生する有機発光ダイオードを用いて画像を表示する。
【０００４】
このような有機電界発光表示装置は、優れた色再現性や薄肉さなどの様々な利点から、応用分野において、携帯電話用以外にも、ＰＤＡ、ＭＰ３プレーヤーなどへ市場が大きく拡大している。
【０００５】
有機電界発光表示装置に用いられる有機発光ダイオードは、アノード電極、カソード電極、及びアノード電極とカソード電極との間に形成される発光層を含む。  そして、アノード電極からカソード電極方向に電流が流れると、発光層で光を発光し、電流量の変化に応じて発光する光の量が異なって輝度を表現することになる。
【０００６】
図１は、従来技術に係る有機電界発光表示装置の構造図である。同図に示すように、従来技術に係る有機電界発光表示装置は、画素部１０と、データ駆動部２０と、走査駆動部３０と、電源供給部４０とを備える。
【０００７】
画素部１０は、複数の画素１１が配列され、各画素１１に有機発光ダイオード（図示せず）が接続される。そして、行方向に形成され、走査信号を伝達するｎ本の走査線Ｓ１，Ｓ２，...Ｓｎ−１，Ｓｎと、列方向に形成され、データ信号を伝達するｍ本のデータ線Ｄ１，Ｄ２，...Ｄｍ−１，Ｄｍと、第１電源ＥＬＶＤＤを伝達するｍ本の第１電源供給線（図示せず）と、第１電源ＥＬＶＤＤより低い電位の第２電源ＥＬＶＳＳを伝達するｍ本の第２電源供給線（図示せず）とが配列される。画素部１０は、走査信号、データ信号、第１電源ＥＬＶＤＤ、及び第２電源ＥＬＶＳＳにより有機発光ダイオードが発光して映像を表示する。
【０００８】
データ駆動部２０は、画素部１０にデータ信号を印加する手段であり、データ駆動部２０は、画素部１０のデータ線Ｄ１，Ｄ２，...Ｄｍ−１，Ｄｍに接続され、データ信号を画素部１０に印加する。
【０００９】
走査駆動部３０は、走査信号を順次出力する手段であり、走査駆動部３０は、走査線Ｓ１，Ｓ２，...Ｓｎ−１，Ｓｎに接続され、走査信号を画素部１０の特定の行に伝達する。走査信号が伝達された画素部１０の特定の行には、データ駆動部２０から入力されるデータ信号が印加されて映像を表示することになり、全ての行が順次選択されると、１つのフレームが完成する。
【００１０】
電源供給部４０は、画素部１０に、第１電源ＥＬＶＤＤと、第１電源ＥＬＶＤＤより低い電位の第２電源ＥＬＶＳＳとを伝達し、第１電源ＥＬＶＤＤと第２電源ＥＬＶＳＳとの電圧差により、各画素１０においてデータ信号に対応する電流が流れるようにする。
【００１１】
このように構成される有機電界発光表示装置は、高輝度を表現する場合、画素部１０に多くの電流が流れ、低輝度を表現する場合は、画素部１０に少ない電流が流れる。このとき、高輝度を表現するために画素部１０に多くの電流が流れた場合は、電源供給部４０に大きな負荷がかかってしまうことから、電源供給部４０が高出力を有することが要求される問題があった。
【特許文献１】日本特許公開第２００３−２２８３２８号
【特許文献２】日本特許公開第１９９９−３３８４１９号
【特許文献３】日本特許公開第１９９６−２９８６３０号
【発明の開示】
【発明が解決しようとする課題】
【００１２】
そこで、本発明の目的は、消費電力を低減し、画質のクオリティを高めることができる発光表示装置及びその駆動方法を提供することである。
【課題を解決するための手段】
【００１３】
上記の目的を達成するための本発明の第１の態様は、複数の走査信号、複数の発光制御信号、及び複数のデータ信号を受信して映像を表現する複数の画素を含む画素部と、ｎ番目のフレームに入力される映像信号が、ｎ−１番目のフレームと同じ映像信号及びｎ−１番目のフレームと異なる映像信号を含み、前記ｎ−１番目のフレームと異なる映像信号が書き込まれるフレームメモリと、前記ｎ−１番目のフレームと同じ映像信号を格納する格納ブロックと、前記ｎ−１番目のフレームと異なる映像信号を合算し、前記格納ブロックに格納されている映像信号を合算してフレームデータを生成する輝度制御部と、前記画素部に前記走査信号及びフレームデータの大きさに応じてパルス幅が調整される前記発光制御信号を伝達する走査駆動部と、前記フレームメモリに格納された映像信号を用いて前記複数のデータ信号を生成した後、前記画素部に伝達するデータ駆動部と、を備える有機電界発光表示装置を提供する。
【００１４】
上記の目的を達成するための本発明の第２の態様は、データ信号、走査信号、及び発光制御信号に対応して画像を表現する画素部を備える有機電界発光表示装置の駆動方法において、ｎ番目のフレームにおいて表現される映像信号のうち、ｎ−１番目のフレームと同じ映像信号を格納するステップと、前記ｎ番目のフレームにおいて表現される映像信号のうち、ｎ−１番目のフレームと同じ映像信号を合算して第１フレームデータを生成するステップと、前記ｎ番目のフレームのうち、前記ｎ−１番目のフレームと異なる映像信号を合算して第２フレームデータを生成するステップと、前記第１フレームデータと前記第２フレームデータとを合算した後、合算した結果に対応して前記発光制御信号のパルス幅を調整するステップと、を含む有機電界発光表示装置の駆動方法を提供する。
【発明の効果】
【００１５】
本発明に係る有機電界発光表示装置によれば、消費電力を低減することができ、画質を改善することができる。
【発明を実施するための最良の形態】
【００１６】
以下、添付の図面を参照して本発明の実施形態を説明する。
【００１７】
図２は、本発明に係る有機電界発光表示装置の構造図である。同図に示すように、有機電界発光表示装置は、画素部１００と、輝度制御部２００と、フレームメモリ３００と、データ駆動部４００と、走査駆動部５００と、電源供給部６００とを備える。
【００１８】
画素部１００は、複数の画素１０１が配列され、各画素１０１は、有機発光ダイオード（図示せず）を含む。そして、画素部１００には、行方向に形成され、走査信号を伝達するｎ本の走査線Ｓ１，Ｓ２，...Ｓｎ−１，Ｓｎ及び発光制御信号を伝達するｎ本の発光制御信号線Ｅ１，Ｅ２，...Ｅｎ−１，Ｅｎと、列方向に形成され、データ信号を伝達するｍ本のデータ線Ｄ１，Ｄ２，...Ｄｍ−１，Ｄｍと、画素に第１電源ＥＬＶＤＤを伝達する第１電源線（図示せず）と、画素に第２電源ＥＬＶＳＳを伝達する第２電源線（図示せず）とが配列される。
【００１９】
輝度制御部２００は、輝度制御信号ｌｃを出力して画像を表現する画素部１００の輝度が一定水準を超えないように輝度を制限する。画素部１００の輝度は、画素部１００において高輝度で発光する画素１０１の数が多い場合、画素部１００において高輝度で発光する画素１０１の数が少ない場合よりも輝度が高く表現される。例えば、画素部１００がフルホワイトで発光する場合は、そうでない場合より高い輝度を有することになる。そのため、このように高輝度で発光する面積が大きい場合は、消費電力が大きいという問題があった。したがって、このような問題を解決するために一定程度輝度を低くして表現する。このとき、高輝度で発光する面積に応じて輝度を制限する範囲を異ならせることにより、高輝度で発光する画素１０１の数に応じて輝度を変化させる。
【００２０】
輝度制御部２００は、１フレームに入力される映像信号ＲＧＢ  ｄａｔａの和であるフレームデータの大きさを把握し、フレームデータの大きさが大きければ、高輝度で発光する画素１０１の数が多く、画素部１００に流れる電流量が多いと判断する。そして、フレームデータの和が小さければ、高輝度で発光する画素１０１の数が少なく、画素部１００に流れる電流量が少ないと判断する。したがって、輝度制御部２００は、フレームデータ信号の大きさに対応して輝度を制限させる輝度制御信号ｌｃを出力する。
【００２１】
輝度制御部２００により画素部１００の輝度が制限されると、画素部１００に流れる電流量が制限され、高出力の電源供給部６００を必要としない。そして、画素部１００の輝度が制限されていない場合は、発光する画素１０１の発光時間が長く維持されて輝度が高くなり、これにより、発光する画素１０１と発光しない画素１０１との明暗比が大きくなる。したがって、画素部１００の明暗比が向上する。
【００２２】
このとき、画素部１００に流れる電流量を減少させる方法として、画素１０１が発光する時間を短縮すると、電流が供給される時間が短縮し、画素部１００に流れる電流量を減少させることができる。
【００２３】
輝度制御部２００は、画素部１００が発光する時間を調整するため、発光制御信号線Ｅ１，Ｅ２，...Ｅｎ−１，Ｅｎを介して伝達される発光制御信号のパルス幅を調整する。発光制御信号のパルス幅に応じて画素部１００が発光する時間が調整され、これにより、画素部１００に流入する電流量が調整される。
【００２４】
フレームメモリ３００は、１フレーム期間に該当する映像信号ＲＧＢ  ｄａｔａを格納し、データ駆動部４００にフレーム単位で映像信号ＲＧＢ  ｄａｔａが伝達されるようにする。
【００２５】
データ駆動部４００は、画素部１００にデータ信号を印加する手段であり、映像信号ＲＧＢ  ｄａｔａを受信してデータ信号を生成する。そして、データ駆動部４００は、画素部１００のデータ線Ｄ１，Ｄ２，...Ｄｍ−１，Ｄｍに接続され、生成されたデータ信号を画素部１００に印加する。
【００２６】
走査駆動部５００は、画素部１００に走査信号及び発光制御信号を印加する手段であり、走査駆動部５００は、走査線Ｓ１，Ｓ２，...Ｓｎ−１，Ｓｎ及び発光制御信号線Ｅ１，Ｅ２，...Ｅｎ−１，Ｅｎに接続され、走査信号及び発光制御信号を画素部１００の特定の行に伝達する。走査信号が伝達された画素１０１には、データ駆動部４００から出力されたデータ信号が伝達され、発光制御信号が伝達された画素１０１は、発光制御信号に応じて発光する。
【００２７】
走査駆動部５００は、走査信号を生成する走査駆動回路及び発光制御信号を生成する発光駆動回路に区分され得、走査駆動回路及び発光駆動回路は、１つの構成部分に備えられていてもよく、別の構成部分に分離されていてもよい。
【００２８】
走査駆動部５００により走査信号が伝達された画素部１００の特定の行には、データ駆動部４００から入力されるデータ信号が印加され、発光制御信号によってデータ信号に対応する電流が有機発光ダイオードに伝達され、有機発光ダイオードの発光により映像が表示される。このとき、全ての行が順次選択されると、１つのフレームが完成する。
【００２９】
電源供給部６００は、画素部１００に第１電源ＥＬＶＤＤと第２電源ＥＬＶＳＳとを伝達し、第１電源ＥＬＶＤＤと第２電源ＥＬＶＳＳとの差により、各画素１０１においてデータ信号に対応する電流が流れるようにする。
【００３０】
図３ａ〜図３ｃは、図２の輝度制御部においてデータ信号を合算する過程を示す概念図である。図３ａは、フレームごとにフレームメモリ３００全体に格納される映像信号ＲＧＢ  ｄａｔａが新たに書き込まれる場合に適用されることを示し、図３ｂは、フレームメモリ３００の一部に映像信号ＲＧＢ  ｄａｔａが新たに伝達される場合に適用される第１の例を示し、図３ｃは、フレームメモリの一部に映像信号ＲＧＢ  ｄａｔａが新たに伝達される場合に適用される第２の例を示す。
【００３１】
図３ａに示すように、輝度制御部２００は、フレームメモリ３００に伝達されて書き込まれる映像信号ＲＧＢ  ｄａｔａを合算してフレームごとにフレームデータを生成する。この方法は、輝度制御部２００が映像信号を合算してフレームデータを生成したとき、フレームごとに１フレームを構成する映像信号が全て入力される場合に適用可能である。
【００３２】
仮に、入力される映像信号ＲＧＢ  ｄａｔａが１フレームの一部分に該当する場合、画面の一部にのみ異なる映像が入力され、残りの部分は同じ映像が表現された場合は、データ合算部において１フレームの映像信号を合算することができない問題がある。
【００３３】
図３ｂに示すように、ｎ−１番目のフレームでは、１フレームに表現される全ての映像信号ＲＧＢ  ｄａｔａがフレームメモリ３００に伝達され、ｎ番目のフレームでは、ｎ−１番目のフレームと異なる部分に該当する映像信号がフレームメモリ３００に入力される。同図では、ｎ−１番目のフレームとｎ番目のフレームとで異なる部分のアドレスは、ｋからｋ＋ｍに該当し、ｎ−１番目のフレームとｎ番目のフレームとで同じ部分のアドレスは、１からｋ−１とｋ＋ｍ＋１からｐに該当する。
【００３４】
この場合、ｎ番目のフレームの間には、ｋからｋ＋ｍの間のアドレスに入力される映像信号がフレームメモリ３００に伝達され、残りの領域は、ｎ−１番目のフレームに該当する映像信号が伝達されたときに格納されて使用される。そして、ｎ−１番目のフレームにおいてｋからｋ＋ｍの間のアドレスに格納されている映像信号を読み出した後、当該映像信号とｎ番目のフレームにおいてｋからｋ＋ｍの間のアドレスに書き込まれる映像信号を比較する。
【００３５】
そして、比較した値を用いてｎ番目のフレームのフレームデータを把握する。  すなわち、ｎ−１番目のフレームのフレームデータを２００、ｎ−１番目のフレームにおいてｋからｋ＋ｍの間のアドレスに書き込まれている映像信号の和を１００と仮定し、ｎ番目のフレームにおいてｋからｋ＋ｍの間のアドレスに書き込まれる映像信号の和を９０と仮定すると、ｎ−１番目のフレームにおけるｋからｋ＋ｍの間のアドレスに書き込まれている映像信号の和と、ｎ番目のフレームにおけるｋからｋ＋ｍの間のアドレスに書き込まれる映像信号の和との差は、１０になる。すなわち、変更された部分の映像信号の和は、１０だけの差が生じ、ｎ番目のフレームデータは、ｎ−１番目のフレームデータより１０だけ小さいと判断し、ｎ番目のフレームのフレームデータが１９０になると判断する。
【００３６】
したがって、１フレームに入力される映像信号がそのフレームの一部に該当する場合でも、フレームデータを把握することができる。
【００３７】
しかし、フレームデータを把握するためには、ｎ−１番目のフレームにおけるｋからｋ＋ｍの間のアドレスに書き込まれている映像信号を読み出す時間と、ｎ番目のフレームにおけるｋからｋ＋ｍの間のアドレスに書き込まれる映像信号を読み出す時間とが必要になる。すなわち、映像信号を読み出す時間を２回要するため、データ処理速度が遅くなる恐れがある。
【００３８】
図３ｃに示すように、フレームメモリ３００のアドレス１からｋ−１とｋ＋ｍ＋１からｐに入力される映像信号は、ｎ−１番目のフレームとｎ番目のフレームとで同じ映像信号が入力され、フレームメモリのアドレスｋからｋ＋ｍの間に入力される映像信号は異なる。そして、ｎ−１番目のフレームの１からアドレスｋ−１とｋ＋ｍ＋１からｐに入力される映像信号は、エラー検出のために用いられるチェックサムブロック３１０に格納される。
【００３９】
そして、ｎ番目のフレームは、フレームメモリ３００のアドレスｋからｋ＋ｍの間に入力される映像信号のみを受信してフレームメモリ３００に格納する。
【００４０】
このとき、輝度制御部２００は、チェックサムブロック３１０に書き込まれている映像信号ＲＧＢ  ｄａｔａを合算するとともに、フレームメモリ３００に書き込まれるフレームメモリ３００のアドレスｋからｋ＋ｍの間に入力される映像信号ＲＧＢ  ｄａｔａを合算する。そして、合算された映像信号を用いてフレームデータを生成する。
【００４１】
したがって、図３ｂとは異なり、映像信号を２回読み出さずに済むことから、データ処理速度が遅くなることはない。
【００４２】
図４は、本発明に係る発光表示装置に採用した輝度制御部の一例を示す構造図である。同図に示すように、輝度制御部２００は、データ合算部２１０と、ルックアップテーブル２２０と、輝度制御駆動部２３０とを備える。
【００４３】
データ合算部２１０は、フレームメモリ３００に入力される映像信号ＲＧＢ  ｄａｔａを合算したフレームデータに関する情報を抽出する。フレームデータは、１フレームに関する全てのビデオデータが合算されたものであり、フレームデータのデータ値が大きければ、高階調を表現するデータが多く含まれており、フレームデータのデータ値が小さければ、高階調を表現するデータが少なく含まれていることが分かる。そして、データ合算部２１０は、第１格納部２１１及び第２格納部２１２を備え、第１格納部２１１には、部分駆動において変化しない部分の映像信号を格納し、第２格納部２１２には、部分駆動において変化する部分の映像信号を格納する。また、データ合算部２１０は、第３格納部２１３を備えることにより、第１格納部２１１及び第２格納部２１２に格納されている映像信号ＲＧＢ  ｄａｔａの和を格納してフレームデータを格納する。
【００４４】
ルックアップテーブル２２０は、第３格納部２１３に格納されているフレームデータの大きさに応じて指定された発光制御信号の発光期間の幅を格納する。ルックアップテーブル２２０に格納されている発光制御信号の発光期間は、フレームデータの大きさが大きければ、その長さは短く、フレームデータの大きさが小さければ、その長さは長く設定される。また、フレームデータの大きさが所定値以下であれば、発光期間は最も長く設定され、不要な輝度の制限を防止する。
【００４５】
輝度制御駆動部２３０は、ルックアップテーブル２２０に格納されている発光制御信号の発光期間の幅に対応する輝度制御信号ｌｃを出力する。輝度制御信号ｌｃは、走査駆動部５００に入力され、走査駆動部５００から出力される発光制御信号の発光期間の幅を制御する。したがって、走査駆動部５００は、輝度制御信号に応じて発光期間の幅が決定される発光制御信号を出力する。このとき、走査駆動部５００が走査駆動回路及び発光制御回路に区分された場合、輝度制御信号は発光制御回路に入力され、輝度制御信号ｌｃに応じて発光制御信号を出力する。
【００４６】
図５は、本発明に係る有機電界発光表示装置に採用した画素の一例を示す回路図である。
【００４７】
同図に示すように、画素１０１は、有機発光ダイオードＯＬＥＤ、第１トランジスタＭ１、第２トランジスタＭ２、第３トランジスタＭ３、及びキャパシタＣｓｔを含む。そして、走査線Ｓｎ、発光制御線Ｅｎ、データ線Ｄｍ、及び電源線ＥＬＶＤＤが画素１０１に接続される。そして、走査線Ｓｎ及び発光制御線Ｅｎは、行方向に形成され、データ線Ｄｍ及び電源線ＥＬＶＤＤは、列方向に形成される。
【００４８】
第１トランジスタＭ１は、ソースが電源線ＥＬＶＤＤに接続され、ドレインが有機発光ダイオードＯＬＥＤに接続され、ゲートが第１ノードＮ１に接続される。そして、ゲートに入力される信号により有機発光ダイオードＯＬＥＤに発光のための電流を供給する。第１トランジスタＭ１のソースからドレインに流れる電流量は、第２トランジスタＭ２を介して第１ノードＮ１に伝達されるデータ信号により制御される。
【００４９】
第２トランジスタＭ２は、ソースがデータ線Ｄｍに接続され、ドレインが第１ノードＮ１に接続され、ゲートが走査線Ｓｎに接続され、走査信号により選択的にデータ信号を第１ノードＮ１に伝達する。
【００５０】
キャパシタＣｓｔは、第１電極が第１トランジスタＭ１のソースに接続され、第２電極が第１ノードＮ１に接続され、データ信号により第１トランジスタＭ１のソース及びゲート間の電圧を維持する。
【００５１】
第３トランジスタＭ３は、ソースが第１トランジスタＭ１のドレインに接続され、ドレインが有機発光ダイオードＯＬＥＤに接続され、ゲートが発光制御線Ｅｎに接続される。したがって、発光制御線Ｅｎを介して伝達される発光制御信号に対応してオンオフが制御される。そして、第３トランジスタＭ３は、第１トランジスタＭ１で生成された電流を選択的に有機発光ダイオードＯＬＥＤに伝達する。
【００５２】
このような構成により、第２トランジスタＭ２のゲートに印加される走査信号により第２トランジスタＭ２がオン状態になると、キャパシタＣｓｔにデータ信号に対応する電圧が充電される。キャパシタＣｓｔに充電された電圧は、第１トランジスタＭ１のゲート電極に印加されるため、第１トランジスタＭ１は、データ信号に対応する電流を第１トランジスタＭ１のソースからドレイン方向に流れるようにする。このとき、ソースからドレイン方向に流れる電流は、第１トランジスタＭ１のドレインに接続されている第３トランジスタＭ３により選択的に有機発光ダイオードＯＬＥＤに伝達される。したがって、発光制御信号のパルス幅が調整されると、第３トランジスタＭ３がオン状態を維持する時間が調整されるため、有機発光ダイオードＯＬＥＤに流れる電流量が調整される。すなわち、発光制御信号のパルス幅を制御すれば、有機発光ダイオードＯＬＥＤの輝度を制御することができる。
【図面の簡単な説明】
【００５３】
【図１】図１は、従来技術に係る有機電界発光表示装置の構造図である。
【図２】図２は、本発明に係る有機電界発光表示装置の構造図である。
【図３ａ】図３ａは、図２の輝度制御部においてデータ信号を合算する過程を示す概念図である。
【図３ｂ】図３ｂは、図２の輝度制御部においてデータ信号を合算する過程を示す概念図である。
【図３ｃ】図３ｃは、図２の輝度制御部においてデータ信号を合算する過程を示す概念図である。
【図４】図４は、本発明に係る発光表示装置に採用した輝度制御部の一例を示す構造図である。
【図５】図５は、本発明に係る有機電界発光表示装置に採用した画素の一例を示す回路図である。
【符号の説明】
【００５４】
１００；画素部
１０１；画素
２００；輝度制御部
３００；フレームメモリ
４００；データ駆動部
５００；走査駆動部
６００；電源供給部
【図１】
2009271493.tif 000003
【図２】
2009271493.tif 000004
【図３ａ】
2009271493.tif 000005
【図３ｂ】
2009271493.tif 000006
【図３ｃ】
2009271493.tif 000007
【図４】
2009271493.tif 000008
【図５】
2009271493.tif 000009